(57)【要約】【課題】  天板の開口部から手を挿入してＯＡ機器ケーブルのコンセントやアダプタコンセントをテーブルタップに着脱することが容易に可能な配線機能付きテーブルを提供する。【解決手段】  開口部15に２枚の蓋部31,41を有し、前記開口部15の下方にケーブル収納体60を備え、２枚の前記蓋部31,41は、前記開口部15の中央側に各々回転軸59を有して回動可能とされ、前記ケーブル収納体60は、平板状の底板部71を有し、側壁部61により前記天板11の下方に取り付けられ、前記側壁部61の中央上方に両端が支持されるタップ取付け部81を有し、前記タップ取付け部81は、中心線から下方に傾斜する同一形状の板状体とされる支持板部85を有し、前記支持板部85の前記中心線から離れた端縁を前記底板部71から離れた位置として前記支持板部85と前記底板部71との間に空間を形成してテーブルタップを固定可能とするものです。【選択図】    図５
2015097686.tif 000002
【特許請求の範囲】
【請求項１】
天板の開口部に２枚の蓋部を有し、前記開口部の下方にケーブル収納体を備えた配線機能付きテーブルであって、
２枚の前記蓋部は、前記開口部の中央側に各々回転軸を有して各外側縁を回動可能とし、
前記ケーブル収納体は、ケーブルを載置可能な平板状の底板部を有し、前記底板部の両側端に立設された側壁部により前記天板の下方に取り付けられ、
前記ケーブル収納体は、更に前記側壁部の中央上方に両端が支持されるタップ取付け部を有し、
前記タップ取付け部は、前記回転軸の中心線と平行なタップ取付け部の中心線の両側において、前記中心線側から下方に傾斜する同一形状の板状体とされる支持板部を有し、
前記支持板部の前記中心線から離れた端縁を前記底板部から離れた位置として前記支持板部と前記底板部との間に空間を形成してテーブルタップを固定可能としていることを特徴とする配線機能付きテーブル。
【請求項２】
前記支持板部は、前記天板と５０度の角度で交わる傾斜面とされることを特徴とする請求項１に記載した配線機能付きテーブル。
【請求項３】
前記開口部は４辺を湾曲させた正方形とされて前記天板の略中央に配置され、
２枚の前記蓋部は直線形状とされる１辺を接近させて合せた状態とされてこの直線状１辺の下方近傍に前記回転軸を位置させ、
２枚の前記蓋部を合わせた状態で４辺を湾曲させた正方形とされると共に、２枚の前記蓋部による全周囲に間隙を形成して前記開口部を閉じることを特徴とする請求項１又は請求項２に記載した配線機能付きテーブル。
【発明の詳細な説明】
【技術分野】
【０００１】
本発明は配線機能付きテーブルに関し、天板に蓋体を備えた配線挿通穴を有し、この配線挿通穴の下方にコード収納部を有するものである。
【背景技術】
【０００２】
今日、ＯＡ機器の普及に伴い、パーソナルコンピュータ等の使用を行うためにパーソナルコンピュータ等の配線を極めて容易に行うことのできる机やテーブルが多用されるようになった。
【０００３】
このようなテーブルでは、天板の中央等に配線挿通穴としての開口部を設け、開口部の下方にケーブル受け板を設けることにより、テーブルタップやコードを開口部下方に収納可能とすると共に、開口部を蓋体で覆い、蓋体と天板開口部周縁との間隙からケーブルやコードを天板上に引き出し可能とするものがある（例えば特許文献１）。
【０００４】
また、天板開口部の下方にケーブルやコードと共に大型のコンセントやアダプタなどを収納可能とする空間を形成し、天板開口部には観音開きの蓋体を設け、蓋体とする２枚の蓋を閉じた状態で蓋と蓋との間からケーブルやコードを天板上に引き出すことを可能とし、２枚の蓋を同時に開くことにより開口部を大きく開いてケーブルやコードと共に大型のコンセントやアダプタなどを出し入れ可能とするもの（例えば特許文献２）などもある。
【先行技術文献】
【特許文献】
【０００５】
【特許文献１】特開２００６―１４１５９１号
【特許文献２】特開２００３―２３５６４９号
【発明の概要】
【発明が解決しようとする課題】
【０００６】
前述の様に、テーブルの天板に開口部を設け、天板上にケーブルやコードを引き出し可能とする配線機能付きテーブルでは、テーブルタップをコード収納部の底板や側壁に固定する場合、開口部から手を挿入してＯＡ機器ケーブルのコンセントやアダプタコンセントをテーブルタップに着脱することが困難となることがあった。
【０００７】
また、テーブルタップをコード収納部内で固定しない場合やコード収納部の底部に固定する場合、コード収納部に収納するケーブルやコードにテーブルタップが埋もれることがあり、やはりＯＡ機器ケーブルのコンセントやアダプタコンセントをテーブルタップに着脱することが困難となることがあった。
【０００８】
さらに、開口部の周縁等に設けるケーブル引出し用の間隙から筆記具等の事務用品を落下させることもあり、配線機能付きテーブルでの事務作業等における円滑さを阻害することもあった。
【課題を解決するための手段】
【０００９】
本発明に係る配線機能付きテーブルは、天板の開口部に２枚の蓋部を有し、前記開口部の下方にケーブル収納体を備えた配線機能付きテーブルであって、２枚の前記蓋部は、前記開口部の中央側に各々回転軸を有して各外側縁を回動可能とし、前記ケーブル収納体は、ケーブルを載置可能な平板状の底板部を有し、前記底板部の両側端に立設された側壁部により前記天板の下方に取り付けられ、前記ケーブル収納体は、更に前記側壁部の中央上方に両端が支持されるタップ取付け部を有し、前記タップ取付け部は、前記回転軸の中心線と平行なタップ取付け部の中心線の両側において、前記中心線側から下方に傾斜する同一形状の板状体とされる支持板部を有し、前記支持板部の前記中心線から離れた端縁を前記底板部から離れた位置として前記支持板部と前記底板部との間に空間を形成してテーブルタップを固定可能としていることを特徴とする。
【００１０】
そして、前記支持板部は、前記天板と５０度の角度で交わる傾斜面とされることが好ましい。
【００１１】
また、前記開口部は４辺を湾曲させた正方形とされて前記天板の略中央に配置され、２枚の前記蓋部は直線形状とされる１辺を接近させて合せた状態とされてこの直線状１辺の下方近傍に前記回転軸を位置させ、２枚の前記蓋部を合わせた状態で４辺を湾曲させた正方形とされると共に、２枚の前記蓋部による全周囲に間隙を形成して前記開口部を閉じることを特徴とする。
【発明の効果】
【００１２】
本発明に係る配線機能付きテーブルは、天板の開口部下方に設けるケーブル収納体において、テーブルタップを固定可能とする支持板部とケーブルを載置可能な平板状の底板部との間に空間を形成して支持板部を底板部の上方に配置しているため、余長ケーブルを乱雑に底板部上に収納しても、コンセントを着脱するテーブルタップをケーブル収納体内部空間の上方に配してテーブルタップにコンセントの抜き差しするに際してコンセントの着脱を容易に行うことができる。
【００１３】
更に、テーブルタップを固定する支持板部を天板と５０度の角度で交わる傾斜面とすることにより、支持板部に固定したテーブルタップの上面を斜め上方として天板に設けた開口部に向けることができ、開口部から手を挿入してコンセントの着脱を行うに際してコンセントの抜き差しをより容易に行うことができる。
【００１４】
そして、開口部を天板中央に配置し、開口部及び２枚の蓋部の形状を正方形としつつ４辺を湾曲させて２枚の蓋部の周囲に湾曲した間隙を形成すれば、多人数でテーブルを使用するに際して全ての方向からテーブル上でＯＡ機器を使用するに際してケーブルを引き出すことが容易に可能であり、蓋部周辺の間隙を湾曲させているため、筆記具等の棒状物を間隙からケーブル収納体内に落下させる不具合を減少させることができる。
【図面の簡単な説明】
【００１５】
【図１】本発明に係る配線機能付きテーブルを示す斜視図。
【図２】本発明に係る配線機能付きテーブルの開口部を示す図。
【図３】本発明に係る配線機能付きテーブルの蓋体の一枚を開いた状態を示す図。
【図４】ケーブル収納体及び枠体を示す斜視図。
【図５】本発明に係る配線機能付きテーブルの開口部断面図。
【発明を実施するための形態】
【００１６】
本発明に係る配線機能付きテーブルは、図１に示すように、天板11の略中央に第１蓋部31及び第２蓋部41から成る蓋体を備えた開口部15を有するものです。
【００１７】
そして、このテーブル10は、略正方形に近い形状の天板11を有し、四隅に脚部21を備え、周囲に図示しない椅子を配置して、会議や事務作業を行うことができるものであり、各脚部21の先端にはキャスター25を備えて移動可能とされているものです。
【００１８】
この開口部15は、図２及び図３に示すように、天板11を貫通する穴部分に枠体50を取り付け、枠体50により同一形状の２枚の蓋体を対称に支持して枠体50による開口部15を塞ぐようにすると共に、枠体50の下方にテーブルタップ89を固定保持可能としたケーブル収納体を配置するものです。
【００１９】
この枠体50は、図４に示すように、四隅に丸味を持たせた略正方形の枠であって、図２及び図３に示したように、４辺を僅かに湾曲形状として各辺の中央部分を外方に膨らませた形状とし、内側は上方を傾斜壁51として下方を垂下壁52とし、内側壁の角度を上方と下方とで変化させつつ、開口部15の上方を開口部15の下方よりも大きくしているものです。
【００２０】
また、枠体50の対向する２辺には、この２辺の各中央部近傍において、２本の平行な棒形状の蓋支持部57を形成して蓋支持部57の両端を対向する枠体50の２辺に固定し、蓋支持部57の両端部には上方に突出する突出部58を形成して両突出部58の内側を垂直面としてこの垂直面から内側に突出する円柱形状の回転軸59を設けるものです。
【００２１】
尚、２本の棒形状とした各蓋支持部57は、両端が固定された枠体50の２辺の中央を結ぶ枠体50の中心線に対して左右対称の形状とするものです。
【００２２】
そして、開口部15を塞ぐ蓋体は、同一形状同一大きさの第１蓋部31と第２蓋部41とを対称に配置して形成するものです。
【００２３】
この第１蓋部31と第２蓋部41は、各々略長方形の形状であって、長辺とする後端部34,44は直線形状とし、他の長辺である前端部33,43は中央を外方に僅かに突出させる湾曲形状とされ、短辺とする２辺の側端部32,42は、後端部34,44側を僅かに突出させる湾曲形状とされており、第１蓋部31の後端部34と第２蓋部41の後端部44とを合わせたとき、四隅の角部に丸味を有して４辺の中央を僅かに突出させる湾曲辺とする略正方形の形状となるようにするものです。
【００２４】
この第１蓋部31及び第２蓋部41は、後端部34,44近傍の下面において、両側の側端部32,42の近傍とされる位置から下方に延設される軸保持部38,48を有し、この軸保持部38,48により蓋支持部57に設けた回転軸59を挟持して第１蓋部31及び第２蓋部41を回転可能に枠体50に取り付けるものです。
【００２５】
そして、第１蓋部31及び第２蓋部41は、前端部33,43の中央位置において外方に突出する板状の係止突起37,47を有し、この係止突起37,47の先端を枠体50の傾斜壁51に形成した窪みである係止溝53に挿入することにより、第１蓋部31及び第２蓋部41の前端部33,43が天板11の位置よりも降下することを阻止し、軸保持部38,48により回転可能に回転軸59に取り付けた第１蓋部31及び第２蓋部41の上面を、当該テーブル10の天板11の上面と略同一平面とすることを可能とするものです。
【００２６】
また、この第１蓋部31と第２蓋部41とを、各々後端部34,44を合わせるようにしして開口部15を閉じたとき、枠体50の傾斜壁51の上端と第１蓋部31や第２蓋部41の周縁との間には１０ｍｍ程度、好ましくは１０ｍｍ乃至１５ｍｍ程度の間隙17を形成することができるようにしているものです。
【００２７】
そして、図４に示したように、この枠体50の外壁部55には、その一部の下端近傍において外方に突出する係合部56を形成し、図５に示すように、外壁部55の外面を天板11の貫通穴の内面に接触させて係合部56を天板11の下面に係合させると共に、ビス穴54を用いてビス91により枠体50を確実に天板11に固定するものです。
【００２８】
そして、開口部15の下方に設けるケーブルやコードなどを収納するケーブル収納部は、この天板11の下面にケーブル収納体60を取り付けて形成するものであり、ケーブル収納体60は、図４に示したように、天板11に固定した枠体50による開口部15よりも僅かに大きな略正方形とされる板状の底板部71と、底板部71の対向する２辺から立ち上がる板状の側壁部61と、底板部71の残る２辺から立ち上がる板状の保護壁75を有し、側壁部61の上端に設けた取付け部62により天板11の下面に固定されるものです。
【００２９】
この取付け部62は、両側壁部61の上端に各々２個形成され、ケーブル収納体60を確実に天板11の下面に固定可能としており、２個の取付け部62の間である両側壁部61の略中央上端には各々切欠き部65を設け、両側の側壁部61の切欠き底部66によりタップ取付け部81を支持しているものです。
【００３０】
このタップ取付け部81は、長尺の板状体とされる頂板部83の両端を側壁部61の切欠き底部66に配置して固定され、頂板部83の両側長辺から斜め下方に傾斜面を形成する板状の支持板部85を有し、斜め下方に延設された支持板部85の下端から支持板部85に対して略直行するように立設された板状の保持板部87を有するものです。
【００３１】
このタップ取付け部81は、鋼板などの磁性材料の板状体を折り曲げて長方形平板の頂板部83、頂板部83の両側に長方形平板の支持板部85、両支持板部85の外側両端に長方形平板の保持板部87を形成しているものであって、支持板部85にマグネット付きＯＡタップなどのテーブルタップ89を磁着固定し、保持板部87により支持板部85へ磁着させたテーブルタップ89が脱落しないようにするものです。
【００３２】
また、この支持板部85は頂板部83に対しての傾斜角Ａとして、３０度乃至６０度程度、好ましくは５０度程度の傾きを持った傾斜面とし、テーブルタップ89の上面を開口部15の方向に向けることとし、テーブルタップ89へのコンセントの抜き差しを開口部15から容易に行えるようにしているものです。
【００３３】
尚、平板状の頂板部83は、天板11と平行とすると共に、長方形とされた頂板部83の長軸方向中心線をタップ取付け部81の中心線とし、この中心線は、枠体50に設けた回転軸59の中心線と平行としつつ、第１蓋部31を支える回転軸59の中心線と第２蓋部41を支える回転軸59の中心線とから等距離として回転軸59よりも下方に位置させるものです。
【００３４】
更に、タップ取付け部81は、頂板部83の両端を側壁部61に形成した切欠き部65における切欠き底部66に固定し、タップ取付け部81をケーブル収納体60の内部中間高さに保持して支持板部85や保持板部87の下端と底板部71との間に空間を形成するものであって、長尺のケーブルを底板部71の上に収納し、収納したケーブルの端部に接続されているコンセントをテーブルタップ89に着脱するに際して、当該ケーブルや他のケーブルがテーブルタップ89に掛かることなく、ケーブル収納体60の内部空間中間高さに固定したテーブルタップ89へのコンセントの抜き差しを容易に行うことができるようにしているものです。
【００３５】
そして、同一大きさ同一形状の第１蓋部31と第２蓋部41とを枠体50の中心線を挟んで対称に配置し、第１蓋部31の回転軸59の中心線と第２蓋部41の回転軸59の中心線とから等距離の位置に両回転軸59の中心線と平行にタップ取付け部81の中心線を配置し、このタップ取付け部81の中心線を挟んで対称に同一形状同一大きさの支持板部85を傾斜させて設けているため、第１蓋部31を開いた場合も第２蓋部41を開いた場合も同様にコンセント操作等ができることとなり、テーブル10の周囲全方向からの使用を便利に行うことができるものです。
【００３６】
また、このテーブルタップ89にコンセントを差し込んだケーブルが長尺の場合、余分なケーブルはケーブル収納体60の底板部71の上に巻いて置き、必要な長さだけテーブル10上に引き出すことができ、ケーブルをテーブル10上に引き出す際、第１蓋部31や第２蓋部41の周囲には、１０ｍｍ程度又は１０ｍｍ乃至１５ｍｍ程度の間隙17を設けているため、第１蓋部31又は第２蓋部41を開いてケーブルを引き出した後、蓋体を閉じてもケーブルの引出し又は押し込みを容易に行ってテーブル10上のケーブル長さを調整することができるものです。
【００３７】
そして、開口部15を形成する枠体50の内側は、下方を垂下壁52としつつ上方は傾斜壁51として開口を広げるように内側の角度を変化させているため、底板部71から開口部15を介して天板11の上面に引き出すケーブルが開口部15の上端内角に接するとき、開口部15の内側に垂れたケーブルと天板11の上面で水平に伸びるケーブルとの湾曲を滑らかとし、ケーブルを痛めることなくケーブルをテーブル10上に引き回すことができるものです。
【００３８】
また、第１蓋部31及び第２蓋部41の周囲に形成する間隙17は、１０ｍｍ程度又は１０ｍｍ乃至１５ｍｍ程度の幅として幅を広くしているも、第１蓋部31及び第２蓋部41を合わせた四角形の四辺と枠体50の四辺を湾曲させることにより、第１蓋部31及び第２蓋部41による蓋体周縁に形成される間隙17も湾曲形状とされるため、筆記具等の直線棒状物が不用意に間隙17の位置に転がった場合でも、間隙17の湾曲により開口部15内に落下することが防止されることもあり、簡単に異物が開口部15から落下することを防止することができるものです。
【００３９】
尚、側壁部61に、適宜、貫通孔63を設け、テーブルタップ89のコード等を天板11の下方でケーブル収納体60から引き出すに際し、保護壁75の上方から引き出す場合のみでなく、側壁部61の貫通孔63を通してケーブル収納体60の外部に引き出すことができるようにしているものです。
【００４０】
また、図面に示した保護壁75は、側壁部61よりも低く形成して側壁部61の上端で天板11下面にケーブル収納体60を取り付けたとき、保護壁75の上端と天板11の下面との間に間隙を形成するようにしているも、保護壁75も側壁部61に近い高さとしてケーブル収納体60の内部に収納するケーブル等がケーブル収納体60の内部から落ちないようにする場合もあるものです。
【００４１】
そして、図に示した保持板部87は、支持板部85と同様にケーブル収納体60の両側壁部61に至る長さの長方形の板状体としているも、保持板部87としては、支持板部85と直交する複数の爪形状等として支持板部85の長辺に沿って立設するように形成することや、保持板部87を省略して頂板部83の両端に支持板部85のみを設けたタップ取付け部81とすることもあるものです。
【００４２】
尚、タップ取付け部81は、磁性材料の板状体により形成する場合に限ることなく、テーブルタップ89としてマグネット式でないテーブルタップ89を固定するビス穴等を支持板部85に設け、ビス又はビスとナットによりテーブルタップ89を支持板部85に取り付け可能とすることもあるものです。
【００４３】
更に、前述の枠体50は、その略中央に、対抗する２辺に両端が固定される２本の蓋支持部57を有して回転軸59を設けているも、棒状の蓋支持部57を省略し、枠体50の対向する２辺の垂下壁52等に各々回転軸59を突設して第１蓋部31や第２蓋部41を回転可能に支持することもあり、また、回転軸を第１蓋部31や第２蓋部41の後端部34,44下方に夫々形成し、枠体50には回転軸受けを形成して第１蓋部31や第２蓋部41を回転可能に支持することもあるものです。
【００４４】
そして、第１蓋部31及び第２蓋部41により構成した蓋体や枠体50は、略正方形とする場合に限るものでなく、テーブル10の形状に合わせて長方形とすることもあるものです。
【産業上の利用可能性】
【００４５】
本発明に係る配線機能付きテーブル10は、テーブル上でＯＡ機器を使用するに際し、ＯＡ機器ケーブルのコンセントやアダプタケーブルのコンセントを、天板の開口部下方に設けるケーブル収納体内部のテーブルタップに着脱容易とし、テーブル上でのＯＡ機器の使用をテーブル10の周囲から簡便に行うことができるものです。
【符号の説明】
【００４６】
１０  テーブル
１１  天板                              １５  開口部
１７  間隙
２１  脚部                              ２５  キャスター
３１  第１蓋部                          ３２  側端部
３３  前端部                            ３４  後端部
３７  係止突起                          ３８  軸保持部
４１  第２蓋部                          ４２  側端部
４３  前端部                            ４４  後端部
４７  係止突起                          ４８  軸保持部
５０  枠体
５１  傾斜壁                            ５２  垂下壁
５３  係止溝                            ５４  ビス穴
５５  外壁部                            ５６  係合部
５７  蓋支持部                          ５８  突出部
５９  回転軸
６０  ケーブル収納体
６１  側壁部                            ６２  取付け部
６３  貫通孔                            ６５  切欠き部
６６  切欠き底部                        ７１  底板部
７５  保護壁
８１  タップ取付け部                    ８３  頂板部
８５  支持板部                          ８７  保持板部
８９  テーブルタップ                    ９１  ビス
【図１】
2015097686.tif 000003
【図２】
2015097686.tif 000004
【図３】
2015097686.tif 000005
【図４】
2015097686.tif 000006
【図５】
2015097686.tif 000007